(57)【要約】【課題】  容易に浴槽を据え付け施工することのできる分割した洗い場付浴槽を提供する。【解決手段】  少なくとも浴槽４，エプロン８，洗い場パン２の主要３部品に分割され、浴槽４と洗い場パン２は共通の補強フレーム１上に載置される洗い場付浴槽において、浴槽４を補強フレーム１上に、洗い場パン２側を上傾させて仮置きできるように構成する。【選択図】  図２
2005065980.tif 000002
【特許請求の範囲】
【請求項１】
少なくとも浴槽，エプロン，洗い場パンの主要３部品に分割され、浴槽と洗い場パンは共通の補強フレーム上に載置される洗い場付浴槽において、前記浴槽を前記補強フレーム上に、前記洗い場パン側を上傾させて仮置きできるように構成したことを特徴とする分割した洗い場付浴槽。
【請求項２】
前記補強フレームにボルトを立設させ、該ボルト上に、前記浴槽の底に設けたボルト受部を載せて、浴槽の洗い場パン側を上傾させることができるように構成したことを特徴とする請求項１に記載の分割した洗い場付浴槽。
【請求項３】
前記ボルト受部は、浴槽の底面に設けた浴槽脚で構成され、該浴槽脚には、前記ボルトの上端が当接して浴槽を上傾状に維持できる受け凹部と、該受け凹部に連通した上下貫通の切欠き孔が形成され、浴槽をずらせることにより、前記ボルトが前記切欠き孔内に挿通されて浴槽が水平状態となり、前記ボルトを前記切欠き孔に締め付けて、浴槽脚を補強フレームに固定できるように構成したことを特徴とする請求項２に記載の分割した洗い場付浴槽。
【請求項４】
少なくとも浴槽，エプロン，洗い場パンの主要３部品に分割された洗い場付浴槽において、浴槽と洗い場パン共通の補強フレーム上に、前記洗い場パンを載置するとともに、前記浴槽を洗い場パン側を上傾させて仮置きし、その状態で、前記洗い場パンにエプロンを立設固定させた後、前記浴槽を水平にして前記補強フレームに固定することを特徴とする分割した洗い場付浴槽の施工方法。
【発明の詳細な説明】
【技術分野】
【０００１】
本発明は、分割した洗い場付浴槽および分割した洗い場付浴槽の施工方法に関するものである。
【背景技術】
【０００２】
従来、エプロンが一体化された洗い場パンと、別体の浴槽に２分割された洗い場付浴槽を施工する際に、エプロンの上端の高さまで、重い浴槽を持ち上げて、エプロンを越えて、洗い場パンの奥側へ浴槽を設置していた。
【特許文献１】特開２００３−１１１６８７号公報
【発明の開示】
【発明が解決しようとする課題】
【０００３】
従来では、エプロンが洗い場から一体状に立設されているため、洗い場側からエプロンを越えて重い浴槽を設置せねばならず、相当な労力が必要であるという問題点があった。
【課題を解決するための手段】
【０００４】
本発明は上記従来の問題点に鑑み案出したものであって、比較的容易に据え付け施工することのできる分割した洗い場付浴槽およびその施工方法を提供するものであり、本発明の分割した洗い場付浴槽の請求項１は、少なくとも浴槽，エプロン，洗い場パンの主要３部品に分割され、浴槽と洗い場パンは共通の補強フレームに載置される洗い場付浴槽において、前記浴槽を前記補強フレーム上に、前記洗い場パン側を上傾させて仮置きできるように構成したことである。
【０００５】
また、請求項２は、前記補強フレームにボルトを立設させ、該ボルト上に前記浴槽の底に設けたボルト受部を載せて、浴槽の洗い場パン側を上傾させることができるように構成したことである。
【０００６】
また、請求項３は、前記ボルト受部は、浴槽の底面に設けた浴槽脚で構成され、浴槽脚には、前記ボルトの上端が当接して浴槽を上傾状に維持できる受け凹部と、該受け凹部に連通した上下貫通の切欠き孔が形成され、浴槽をずらせることにより、前記ボルトが前記切欠き孔内に挿通されて浴槽が水平状態となり、前記ボルトを前記切欠き孔に締め付けて、浴槽脚を補強フレームに固定できるように構成したことである。
【０００７】
また、本発明の分割した洗い場付浴槽の施工方法は、少なくとも浴槽，エプロン，洗い場パンの主要３部品に分割された洗い場付浴槽において、浴槽と洗い場パン共通の補強フレーム上に、前記洗い場パンを載置するとともに、前記浴槽を洗い場パン側を上傾させて仮置きし、その状態で前記洗い場パンにエプロンを立設固定させた後、前記浴槽を水平にして前記補強フレームに固定することである。
【発明の効果】
【０００８】
本発明は、浴槽を、補強フレーム上に、洗い場パン側を上傾させて仮置きできるように構成したことにより、補強フレームに洗い場パンを据え付け、同時に、浴槽を洗い場パン側を上傾させて仮置きし、この状態で、洗い場パンにエプロンを固定することができ、従来のように浴槽をエプロンを越えて設置する必要がなく、多大な労力を要することなく、容易に据え付けることができるものとなる。
【０００９】
また、補強フレームにボルトを立設させ、ボルト上に浴槽の底に設けたボルト受部を載せて、浴槽の洗い場パン側を上傾させることができるように構成したことにより、予め補強フレームの所定位置にボルトを立設させておき、このボルト上に、浴槽の底に設けたボルト受部を載せて、容易に浴槽の洗い場パン側を上傾させて仮置きすることができるものとなる。
【００１０】
また、ボルト受部は、浴槽の底面に設けた浴槽脚で構成され、浴槽脚には、ボルトの上端が当接して浴槽を上傾状に維持できる受け凹部と、受け凹部に連通した上下貫通の切欠き孔が形成され、浴槽をずらせることにより、ボルトが切欠き孔内に挿通されて浴槽が水平状態となり、ボルトを切欠き孔に締め付けて、浴槽脚を補強フレームに固定できるように構成したことにより、浴槽の底面に設けられた浴槽脚には、受け凹部と切欠き孔が形成されており、補強フレームから立設されたボルトの上端に受け凹部を当接させることで、容易に浴槽を洗い場パン側を上傾させて補強フレーム上に仮置きすることができ、洗い場パンにエプロンを固定した後に、浴槽をずらせることにより、ボルトを切欠き孔内に挿通させ、ボルトを切欠き孔に締め付けて、良好に浴槽脚を補強フレームに固定して、浴槽を据え付けることができるものとなる。
【００１１】
また、分割した洗い場付浴槽の施工方法は、浴槽と洗い場パン共通の補強フレーム上に、洗い場パンを載置するとともに、浴槽を洗い場パン側を上傾させて仮置きし、その状態で洗い場パンにエプロンを立設固定させた後、浴槽を水平にして補強フレームに固定することとしたため、共通のフレーム上に先ず洗い場パンを据え付け、同時に浴槽を洗い場パン側を上傾させて仮置きしておき、その状態で洗い場パンにエプロンを固定させることができ、エプロンを固定した後に、浴槽を水平にして補強フレームに固定することができ、従来のように洗い場側からエプロンを越えて重い浴槽を設置する必要がなく、据え付け施工が容易なものとなる。
【実施例】
【００１２】
以下、本発明の実施例を図面に基づいて説明する。
図１は、補強フレーム上に洗い場パンを据え付けた状態の側面構成図である。
補強フレーム１は、角パイプ等で形成され、洗い場パン２を据え付ける洗い場据え付け面１ａと、浴槽を据え付ける浴槽据え付け面１ｂが段差状に一体形成されており、底面には、複数の高さ調節ボルト脚１ｃ，１ｃ，１ｃが垂設されている。
図１のように、洗い場パン２を洗い場据え付け面１ａに据え付けて、この洗い場パン２側の浴槽据え付け面１ｂには、タップ加工した雌ネジ１Ｍ（図３を参照）にボルト３を立設させておく。
【００１３】
このボルト３には、図２に示すように、浴槽４のボルト受部たる浴槽脚５ｂを載せて、浴槽４を、洗い場パン２側を上傾させて浴槽据え付け面１ｂ上に仮置きしておくことができる。
なお、ボルト受部を構成する浴槽脚５ａ，５ｂは、浴槽４とは別体で形成され、浴槽４の底面に固設されたものである。
また、浴槽４の上面には、フランジ４ａが形成されており、フランジ４ａから垂下状に垂下片４ｂが形成されている。
このように、浴槽４の洗い場パン２側を上傾させて仮置きした状態で、洗い場パン２にエプロン８を立設状に固定させる。なお、エプロン８の上端には、係合段部８ａが形成されている。
【００１４】
なお、浴槽４の底面に固定された浴槽脚５ｂは、図３に示すような断面形状となっており、図４に斜視図で示すように、上方へ盛り上げて受け凹部６が一体形成され、受け凹部６の端面の開口に連通して、長孔状の切欠き孔７が上下に貫通形成されている。
なお、受け凹部６の切欠き孔７側に、下方へ突出して突起６ａを設けておくことができ、図３に示すように、ボルト３の上端の頭部３ａが、突起６ａより奥側の受け凹部６の下面に当接状態となって、良好に浴槽４の洗い場パン２側を上傾させた状態に維持できるものである。
【００１５】
浴槽４を上傾させた状態に仮置きし、その状態で、エプロン８を洗い場パン２に固定した後に、浴槽４を、浴槽据え付け面１ｂ上で洗い場パン２と反対側へずらせることにより、突起６ａがボルト３の頭部３ａを乗り越え、ボルト３が切欠き孔７内に良好に挿通されることとなり、図５及び図６に示すように、浴槽４を水平状にして浴槽据え付け面１ｂ上に載せることができ、この状態で、エプロン８に設けた作業口から手を差し入れ、ボルト３を雌ネジ１Ｍ内に締め付けてゆき、ボルト３の頭部３ａをワッシャー３ｂを介して切欠き孔７上に締め付けて、浴槽脚５ｂを浴槽据え付け面１ｂに強固に固定することができるものである。
なお、浴槽４が水平にされることで、エプロン８の上端に形成されている係合段部８ａに、浴槽４の垂下片４ｂが係合して、エプロン８の上端に浴槽４のフランジ４ａが連結されることとなる。
【００１６】
このように、本例では、エプロン８を洗い場パン２に取り付ける前に、浴槽４を上傾させて仮置きしておくことができるため、浴槽４を持ち上げてエプロン８を乗り越えて設置する必要がなく、さほどの労力を要することなく容易に据え付け施工を行うことができるものとなる。
【図面の簡単な説明】
【００１７】
【図１】補強フレーム上に洗い場パンを設置し、ボルトを立設させた状態の側面構成図である。
【図２】ボルト上に浴槽を上傾させて仮置きし、この状態でエプロンを洗い場パンに取り付ける状態の側面構成図である。
【図３】浴槽の底面の浴槽脚がボルト上に当接している状態の縦断面拡大構成図である。
【図４】浴槽脚に形成された受け凹部と切欠き孔の斜視構成図である。
【図５】浴槽をずらせて浴槽脚の切欠き孔内にボルトを挿通させ、ボルトを締め付けた状態の要部縦断面拡大構成図である。
【図６】補強フレーム上に洗い場付浴槽を据え付けた据え付け完了状態の側面構成図である。
【符号の説明】
【００１８】
１  補強フレーム
１ａ  洗い場据え付け面
１ｂ  浴槽据え付け面
１ｃ  高さ調節ボルト脚
２  洗い場パン
３  ボルト
４  浴槽
４ａ  フランジ
４ｂ  垂下片
５ａ，５ｂ  浴槽脚（ボルト受部）
６  受け凹部
７  切欠き孔
８  エプロン
８ａ  係合段部
【図１】
2005065980.tif 000003
【図２】
2005065980.tif 000004
【図３】
2005065980.tif 000005
【図４】
2005065980.tif 000006
【図５】
2005065980.tif 000007
【図６】
2005065980.tif 000008